(57)【要約】  非接触ＩＣカード（１１）は、リーダ・ライタからの電磁波を受信することにより、起電力を発生させる第１アンテナコイル（１０２）および第２アンテナコイル（１０３）と、各アンテナコイルで発生する起電力をそれぞれ測定する第１起電力測定部（３１１）および第２起電力測定部（３１２）と、測定されたそれぞれのアンテナコイルの起電力の特性を比較する起電力比較部（３１３）と、起電力比較部（３１３）による比較結果に基づいて、プログラム格納部（２１６）の中から１つのアプリケーションを選択して実行するアプリケーション選択実行部（２１５）とを備える。
2007529057.tif 000002
【特許請求の範囲】
【請求項１】
複数のアプリケーションプログラムを実行可能な非接触ＩＣカードであって、
リーダ・ライタからの電磁波を受信することにより、起電力を発生させる複数のアンテナコイルと、
前記非接触ＩＣカードが前記リーダ・ライタにかざされる際に、前記各アンテナコイルで発生する起電力を測定する起電力測定部と、
前記起電力測定部によって測定されたそれぞれのアンテナコイルの起電力の特性を比較する起電力比較部と、
前記起電力比較部による比較結果に基づいて、１つのアプリケーションプログラムを選択して実行するアプリケーション選択実行部と
を備える非接触ＩＣカード。
【請求項２】
前記起電力比較部は、起電力の大きさを比較し、
前記アプリケーション選択実行部は、最も大きい起電力を発生させたアンテナコイルに対応付けられたアプリケーションプログラムを実行する
請求項１記載の非接触ＩＣカード。
【請求項３】
前記起電力比較部は、前記起電力測定部によって最初に起電力が測定された第１の時刻から、所定の時間経過後の第２の時刻における、前記各アンテナコイルで発生する起電力の大きさを比較し、
前記アプリケーション選択実行部は、前記第２の時刻において最も大きい起電力を発生させたアンテナコイルに対応付けられたアプリケーションプログラムを実行する
請求項１記載の非接触ＩＣカード。
【請求項４】
前記起電力比較部は、前記起電力測定部によって測定された前記各アンテナコイルで発生する起電力がピーク値に達した時刻を比較し、
前記アプリケーション選択実行部は、前記ピーク値に達した時刻が最も早いアンテナコイルに対応付けられたアプリケーションプログラムを実行する
請求項１記載の非接触ＩＣカード。
【請求項５】
前記各アンテナコイルは、前記非接触ＩＣカードにそれぞれ異なる深さで埋設される
請求項１記載の非接触ＩＣカード。
【請求項６】
前記各アンテナコイルは、前記非接触ＩＣカードの表面と裏面とにそれぞれ配置される
請求項１記載の非接触ＩＣカード。
【請求項７】
前記各アンテナコイルは、前記非接触ＩＣカードのいずれか一方の面または両面の右側と左側とにそれぞれ配置される
請求項１記載の非接触ＩＣカード。
【請求項８】
さらに、
前記複数のアプリケーションプログラムを、それぞれ前記複数のアンテナコイルと対応付けて格納するプログラム格納部を備える
請求項１記載の非接触ＩＣカード。
【請求項９】
さらに、
前記各アンテナコイルに対応付けられた各アプリケーションプログラムを示す表示部を備える
請求項８記載の非接触ＩＣカード。
【請求項１０】
前記表示部は、前記非接触ＩＣカードが前記リーダ・ライタに近づくときの方向と、実行されるアプリケーションプログラムとの対応を示すマークである
請求項９記載の非接触ＩＣカード。
【請求項１１】
前記複数のアンテナコイルには、前記非接触ＩＣカードの表面に近い位置に埋設された第１のアンテナコイルと、前記非接触ＩＣカードの裏面に近い位置に埋設された第２のアンテナコイルとが含まれ、
前記表示部には、前記第１のアンテナコイルに対応づけられた第１のアプリケーションプログラムを示す第１のマークと、前記第２のアンテナコイルに対応づけられた第２のアプリケーションプログラムを示す第２のマークとが含まれ、
前記第１のマークは、前記非接触ＩＣカードの裏面に施され、
前記第２のマークは、前記非接触ＩＣカードの表面に施されている
請求項１０記載の非接触ＩＣカード。
【請求項１２】
前記非接触ＩＣカードのいずれか一方の面の一部を切り欠いた凹部が形成されている
請求項１記載の非接触ＩＣカード。
【請求項１３】
複数のアプリケーションプログラムを実行可能な非接触ＩＣカードにおけるアプリケーション選択方法であって、
前記非接触ＩＣカードは、リーダ・ライタからの電磁波を受信することにより、起電力を発生する複数のアンテナコイルを備え、
前記各アンテナコイルで発生する起電力を測定し、
測定されたそれぞれのアンテナコイルの起電力の特性を比較し、
比較結果に基づいて、１つのアプリケーションプログラムを選択して実行する
アプリケーション選択方法。
【請求項１４】
複数のアプリケーションプログラムを実行可能な非接触ＩＣカードのためのプログラムであって、
前記非接触ＩＣカードは、リーダ・ライタからの電磁波を受信することにより、起電力を発生する複数のアンテナコイルを備え、
前記プログラムは、
前記各アンテナコイルで発生する起電力を測定し、
測定されたそれぞれのアンテナコイルの起電力の特性を比較し、
比較結果に基づいて、１つのアプリケーションプログラムを選択して実行すること
をコンピュータに実行させるプログラム。
【請求項１５】
プログラムが記録されたコンピュータ読み取り可能な記録媒体であって、
複数のアンテナコイルで発生する起電力を測定し、
測定されたそれぞれのアンテナコイルの起電力の特性を比較し、
比較結果に基づいて、１つのアプリケーションプログラムを選択して実行すること
をコンピュータに実行させるプログラムが記録された記録媒体。
【請求項１６】
複数のアプリケーションプログラムを実行可能な非接触ＩＣカードを制御するための集積回路であって、
前記非接触ＩＣカードは、リーダ・ライタからの電磁波を受信することにより、起電力を発生する複数のアンテナコイルを備え、
前記集積回路は、
前記各アンテナコイルで発生する起電力を測定する起電力測定部と、
前記起電力測定部によって測定されたそれぞれのアンテナコイルの起電力の特性を比較する起電力比較部と、
前記起電力比較部による比較結果に基づいて、１つのアプリケーションプログラムを選択して実行するアプリケーション選択実行部と
を備える集積回路。
【発明の詳細な説明】
【技術分野】
【０００１】
本発明は、非接触ＩＣカードに関し、特に、複数のアプリケーションが実行可能で、ユーザによるアプリケーション選択を容易にすることができる非接触ＩＣカードに関するものである。
【背景技術】
【０００２】
従来、クレジットカードをはじめ、多くの磁気カードがビジネス等の用途を問わず利用されてきた。しかしながら、近年、それら、磁気カードからＩＣカードへの転換がなされている。その理由として、ＩＣカードは、磁気カードに比べて、改竄されるおそれが低くセキュリティに優れていること、また、記憶容量が大きいこと、そして、ホスト端末との通信を無線で行なうことによる非接触インタフェースを利用できることが考えられる。これらの利点を持ったＩＣカードの用途として、交通系の用途が最も高い普及率を示しており、特に、大量かつ高速性が要求される駅改札処理において、その効果が実証されており、今後も多方面への応用展開が検討されている。
【０００３】
まず、非接触インタフェースを用いたＩＣカード（非接触ＩＣカード）の概要を説明する。
【０００４】
図１は、一般的な非接触ＩＣカード、リーダ・ライタ、および両者を利用する状況を示す概観図である。
【０００５】
非接触ＩＣカード１０は、アンテナコイル１０１を一つ有しており、このアンテナコイル１０１を用いてリーダ・ライタ２０と無線で通信を行なっている。
【０００６】
図２は、図１に示した一般的な非接触ＩＣカード１０のハードウェア構成を示す図である。
【０００７】
図２に示すように、非接触ＩＣカード１０は、リーダ・ライタ２０からの電磁波を受信し、それにより起電力が発生するアンテナコイル１０１、アプリケーションプログラムが格納されているＲＯＭ２０１、一時的なデータを蓄えておくためのＲＡＭ２０３、演算など制御を行なうためのＣＰＵ２０２、データを記憶するためのＥＥＰＲＯＭ２０４、および、これらを結合するバス５００を備えている。
【０００８】
ＩＣカードは、接触、非接触を問わず、一枚のカードの中に複数のアプリケーションを搭載することも可能である。すなわち、複数のアプリケーションが格納された非接触ＩＣカードの利用者は、複数枚のそれぞれ異なるアプリケーションが格納された非接触ＩＣカードを所持する必要がなく、一枚の非接触ＩＣカードで各種のサービスを享受することができる。例えば、異なる会社が経営する電車路線を乗り継ぐ場合、従来では、少なくとも２種類のカードを所持する必要があったが、上記の複数のアプリケーションプログラムを格納した非接触ＩＣカードであれば、１枚のカードで十分であり、かつ、上述したごとく、カードを改札用端末装置に単にかざすだけでよく、スムーズな乗換えが実現可能である。
【０００９】
しかしながら、一枚の非接触ＩＣカードの中に複数のアプリケーションを搭載している場合、目的とするサービスに応じて、カード内のアプリケーションを切り替える必要が生じる。そのため、ユーザが利用したいアプリケーションを出来るだけ早く選択し起動するための技術が考えられている。
【００１０】
従来のカードとしては、接触、非接触を問わず、ボタンで切り替えを行なうことにより、マルチアプリケーションの選択を実現しているものがある。例えば、表面に反射型液晶部とアプリケーションの種別選択部を配置し、ユーザがボタンを押すことによりアプリケーションを選択した場合、液晶部に選択したアプリケーションが表示される構成を有するものが、従来のＩＣカードとして存在する。
【００１１】
しかしながら、この従来の構成では、液晶部やボタンが配置されていることで、ハードウェア機構が複雑で壊れやすいうえ、また、カードの単価も高くなるという問題がある。
【００１２】
ユーザにとっては、アプリケーションを切り替えるためのボタン操作が要求されるため、切り替え操作に時間や手間を要することになる。このような切り替え操作の煩雑さは、特に、駅改札処理において、人の流れを阻害する原因ともなりうる。
【００１３】
上記の状況に鑑みると、複数のアプリケーションを有する１枚の非接触ＩＣカードを利用する場合、ハードウェア構成を単純なものとし、なおかつ、ユーザによるアプリケーションの切り替え操作の容易性を実現することが重要な課題である。
【００１４】
さらに、非接触ＩＣカードを利用したアプリケーションが増加している現状を考慮すると、１枚の非接触ＩＣカードで２種類より多くのアプリケーションを切り替えることも１つの課題と考えられる。
【００１５】
本発明は、このような課題を解決するためになされたものであり、カード表面には余分なハードウェア機構を付け加えることなく、切り替え操作の方法も容易にすることで、ユーザによる素早いアプリケーションの切り替えを可能とした非接触ＩＣカードを提供することを目的とする。
【発明の開示】
【００１６】
上記の目的を達成するために、本発明に係る非接触ＩＣカードは、以下のような技術的手段を講じている。
【００１７】
すなわち、本発明に係る非接触ＩＣカードは、複数のアプリケーションプログラムを実行可能な非接触ＩＣカードであって、リーダ・ライタからの電磁波を受信することにより、起電力を発生させる複数のアンテナコイルと、前記非接触ＩＣカードが前記リーダ・ライタにかざされる際に、前記各アンテナコイルで発生する起電力を測定する起電力測定部と、前記起電力測定部によって測定されたそれぞれのアンテナコイルの起電力の特性を比較する起電力比較部と、前記起電力比較部による比較結果に基づいて、１つのアプリケーションプログラムを選択して実行するアプリケーション選択実行部とを備える。
【００１８】
これによって、カード内に複数のアンテナコイルを埋設し、アンテナコイルで発生する起電力の特性の差異を比較して、その比較結果に基づいて実行すべきアプリケーションプログラムを選択するので、非接触ＩＣカードのカード表面におけるハードウェア機構を単純化することができ、また、ユーザによるアプリケーション切り替え操作を容易にすることができる。
【００１９】
前記各アンテナコイルは、前記非接触ＩＣカードの表面と裏面とにそれぞれ配置されるとしてもよい。
【００２０】
この構成によれば、カードをかざす際のカードの表面と裏面とを使い分けることにより、ユーザは、２つのアプリケーションから所望のアプリケーションを選択することが可能となる。
【００２１】
前記各アンテナコイルは、前記非接触ＩＣカードのいずれか一方の面または両面の右側と左側とにそれぞれ配置されるとしてもよい。
【００２２】
この構成によれば、カードをかざす方向を使い分けることにより、ユーザは、２つのアプリケーションから所望のアプリケーションを選択することが可能となる。さらに、カードをかざす方向とかざす面とを使い分けることにより、ユーザは、より多くのアプリケーションの中から実行させたいアプリケーションを選択し、実行させることが可能となる。
【００２３】
前記非接触ＩＣカードは、さらに、前記複数のアプリケーションプログラムをそれぞれ前記複数のアンテナコイルと対応付けて格納するプログラム格納部と、前記各アンテナコイルに対応付けられた各アプリケーションプログラムを示す表示部とを備えるのが好ましい。
【００２４】
これによって、提供されているアプリケーションを起動させるために、どのアンテナコイルをリーダ・ライタに近づければよいかを提示するので、ユーザは、カードの面や方向を確認することができ、実行させたいアプリケーションの選択を、間違えることなく行なうことができる。
【００２５】
前記非接触ＩＣカードのいずれか一方の面の一部を切り欠いた凹部が形成されているのが好ましい。
【００２６】
これによって、カードを目視できない状態にあっても、ユーザは、凹部を触ることによってカードの面や方向を識別可能となり、所望のアプリケーションを選択することができる。
【００２７】
なお、本発明は、このような非接触ＩＣカードとして実現することができるだけでなく、このような非接触ＩＣカードの特徴的な要素をステップとして含むアプリケーション選択方法として実現したり、それらのステップをコンピュータに実行させるプログラムとして実現したりすることもできる。そのようなプログラムは、ＣＤ−ＲＯＭ等の記録媒体やインターネット等の伝送媒体を介して配信することができるのは言うまでもない。
【００２８】
以上説明したように、本発明に係る非接触ＩＣカードによれば、複数のアンテナコイルを有し、それぞれのアンテナコイルで発生する起電力を測定して、起電力の特性を比較し、その比較結果に基づいてアプリケーションを選択し実行するので、ユーザは、容易な操作で１枚の非接触ＩＣカードに搭載されている複数のアプリケーションを素早く切り替えることができる。
【００２９】
複数のアンテナコイルをカード内に埋設するので、余分な機構を付け加えることなく、ハードウェアの外部構成を単純化することができる。
【００３０】
さらに、アンテナコイルをカード表面と裏面だけでなく両面の左右にも埋設することにより、多種類のアプリケーションを容易な操作で切り替えることも可能となる。
【００３１】
本出願に対する技術的な背景に関するさらなる情報として、明細書、図面、および特許請求の範囲を含む、２００３年１０月２０日にされた出願番号２００３−３５９８９３号の日本特許出願により開示されている事項は、そっくりそのまま引用されている。
【発明を実施するための最良の形態】
【００３２】
以下本発明の実施の形態について、図面を参照しながら説明する。
（実施の形態１）
まず、本発明の実施の形態１に係る非接触ＩＣカードについて説明する。
【００３３】
本実施の形態１では、非接触ＩＣカード内の表面側と裏面側とにアンテナコイルを配した場合を説明する。
【００３４】
上記した一般的な非接触ＩＣカード（図１）と比較すると、本発明の実施の形態１に係る非接触ＩＣカードの外観構成は、一般的な非接触ＩＣカードと変わりはないが、その内部構成において一般的な非接触ＩＣカードと顕著な相違点を有している。
【００３５】
図３は、本実施の形態１に係る非接触ＩＣカードのハードウェア構成を示す図である。
本実施の形態に係る非接触ＩＣカード１１は、リーダ・ライタからの電磁波を受信することで起電力が発生する第１アンテナコイル１０２および第２アンテナコイル１０３と、第１アンテナコイル１０２および第２アンテナコイル１０３の起電力をそれぞれ測定するための第１起電力測定器３０１および第２起電力測定器３０２と、それぞれ測定された起電力の特性を比較するための起電力比較器３０３と、それぞれのアンテナコイルに対応づけられた、複数のアプリケーションプログラムが格納されているＲＯＭ２１１と、一時的なデータを蓄えておくためのＲＡＭ２１３と、演算など制御を行なうためのＣＰＵ２１２と、データを記憶するためのＥＥＰＲＯＭ２１４と、これらを結合するバス５０１とを、ハードウェア構成として備えている。
【００３６】
ＥＥＰＲＯＭ２１４は、例えば、Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ（ＥＥＰＲＯＭ）等の不揮発性メモリによって実現され、ＥＥＰＲＯＭの代わりに、Ｆｅｒｒｏｅｌｅｃｔｒｉｃ  Ｒａｎｄｏｍ  Ａｃｃｅｓｓ  Ｍｅｍｏｒｙ（ＦｅＲＡＭ）を用いるとしてもよい。
【００３７】
図４は、本実施の形態１に係る非接触ＩＣカード１１の機能的な構成を示す機能ブロック図である。
【００３８】
図４に示すように、本実施の形態１に係る非接触ＩＣカード１１は、機能的な構成として、第１アンテナコイル１０２の起電力を測定する第１起電力測定部３１１と、第２アンテナコイル１０３の起電力を測定する第２起電力測定部３１２と、第１起電力測定部３１１および第２起電力測定部３１２で測定した起電力の特性を比較する起電力比較部３１３と、複数のアプリケーションプログラムを、それぞれのアンテナコイルに対応づけて格納しているプログラム格納部２１６と、起電力比較部３１３の比較結果に基づいてプログラム格納部２１６に格納されているアプリケーションプログラムを選択して実行するアプリケーション選択実行部２１５とを備える。
【００３９】
図５（Ａ）は、非接触ＩＣカード１１における片面側（表面側）の概観を示す平面図であり、本図に示すように、非接触ＩＣカード１１の表面側には、第１アンテナコイル１０２が埋設されている。
【００４０】
図５（Ｂ）は、非接触ＩＣカード１１における他方の片面側（裏面側）の概観を示す平面図であり、本図に示すように、非接触ＩＣカード１１の裏面側には、第２アンテナコイル１０３が埋設されている。
【００４１】
図５（Ｃ）は、非接触ＩＣカード１１の一部の断面斜視図である。本図に示すように、非接触ＩＣカード１１には、第２アンテナコイル１０３が、第１アンテナコイル１０２よりも深い位置に埋設されている。つまり、第１アンテナコイル１０２は、第２アンテナコイル１０３の直ぐ上に埋設されている。なお、ＲＯＭ２１１やＣＰＵ２１２等を搭載した集積回路のチップも埋設されていることは言うまでもない。
【００４２】
このように構成される非接触ＩＣカード１１の動作について、以下、図６および図７を参照しながら詳細に説明する。
【００４３】
図６（Ａ）は、非接触ＩＣカード１１の操作方法を説明するための図であり、図７は、電力供給後からアプリケーションが選択されるまでの非接触ＩＣカードの動作手順を示すフローチャートである。
【００４４】
まず、図６（Ａ）に示すように、ユーザが、非接触ＩＣカード１１の第２アンテナコイル１０３を有する面をリーダ・ライタ２０にかざすと（リーダ・ライタ２０上を矢印方向に通過させると）、非接触ＩＣカード１１は、リーダ・ライタ２０から電磁波を受信し、電力が供給される（Ｓ３０１）。電力が供給された第１アンテナコイル１０２および第２アンテナコイル１０３には、それぞれ起電力が発生する。発生する起電力は、第１起電力測定部３１１および第２起電力測定部３１２でそれぞれ測定される（Ｓ３０２）。そして、測定された起電力は、起電力比較部３１３により比較される（Ｓ３０３）。
【００４５】
図６（Ｂ）は、非接触ＩＣカード１１とリーダ・ライタ２０との距離と、それぞれのアンテナコイルが発生する起電力の関係を示した図である。本図では、第１アンテナコイル１０２の起電力の推移を線６０２で示し、第２アンテナコイル１０３の起電力の推移を線６０１で示している。非接触ＩＣカード１１とリーダ・ライタ２０とのある一定の距離をｄ１とし、この所定の距離ｄ１における第１アンテナコイル１０２の起電力をＷＡで表し、同様に第２アンテナコイル１０３の起電力をＷＢで表すと、ＷＢ＞ＷＡとなる。すなわち、リーダ・ライタ２０に近い第２アンテナコイル１０３で発生する起電力の方が大きくなっている。したがって、アプリケーション選択実行部２１５は、第２アンテナコイル１０３に対応したアプリケーションＢを実行すべきアプリケーションとして選択し（Ｓ３０５）、プログラム格納部２１６から選択されたアプリケーションＢを読み出して起動する（Ｓ３０６）。
【００４６】
図６（Ａ）において、ユーザが、非接触カード１１の逆の面、つまり第１アンテナコイル１０２を有する面をリーダ・ライタ２０にかざした場合、ＷＡ＞ＷＢとなる。すなわち、リーダ・ライタ２０に近い第１アンテナコイル１０２で発生する起電力の方が大きくなる。そのため、アプリケーション選択実行部２１５は、第１アンテナコイル１０２に対応したアプリケーションＡを実行すべきアプリケーションとして選択し（Ｓ３０４）、プログラム格納部２１６から選択されたアプリケーションＡを読み出して起動する（Ｓ３０６）。
【００４７】
以上、説明したように、本実施の形態１に係る非接触ＩＣカードによれば、複数のアンテナコイルのそれぞれに発生する起電力の大きさを比較し、その比較結果に基づいてアプリケーションを選択するので、リーダ・ライタ２０に非接触ＩＣカードをかざす場合、非接触ＩＣカードの表面と裏面のどちらかをかざすことにより、容易に非接触ＩＣカード内のアプリケーションを切り替えることが可能となる。
【００４８】
なお、横軸を「リーダ・ライタとの距離」としているが、これに替えて、「リーダ・ライタに対する非接触ＩＣカードの通過時間（あるいは、接近する）」と読み替えてもよい。非接触ＩＣカードが一定速度でリーダ・ライタに接近するならば、非接触ＩＣカードとリーダ・ライタとの距離は、非接触ＩＣカードがリーダ・ライタを通過する時間に置き換えることができるからである。
【００４９】
（実施の形態２）
次に、本発明の実施の形態２に係る非接触ＩＣカードについて説明する。
【００５０】
実施の形態１では、アンテナコイルが非接触ＩＣカードの片面と、もう一方の面とに備えられた例を示した。
【００５１】
本発明はこれに限定されるものではなく、非接触ＩＣカードの片面の左右にアンテナコイルを設ける場合も考えられる。実施の形態２では、非接触ＩＣカードの片面の左右にアンテナコイルを配した場合を説明する。
【００５２】
なお、本実施の形態２に係る非接触ＩＣカードのハードウェア構成は、図３に示したものと同様であり、その機能的な構成は、図４に示したものと同様であるので、図示を省略する。
【００５３】
以下では、図８および図９を参照しながら、本実施の形態２に係る非接触ＩＣカードの動作について詳細に説明する。
【００５４】
図８（Ａ）は、本実施の形態２に係る非接触ＩＣカード１２の操作方法を説明するための図であり、図９は、電力供給後からアプリケーションが選択されるまでの、本実施の形態２に係る非接触ＩＣカードの動作手順を示すフローチャートである。なお、図９においては、上記実施の形態１の説明で用いた図７のフローチャートと異なる手順を、破線で囲んで強調して示し（Ｓ１００１）、同一の手順には、同一の符号を付している。
【００５５】
図８（Ａ）に示すように、本実施の形態２に係る非接触ＩＣカード１２は、一方の面の左側に第１アンテナコイル１０４を、また、その面の右側に第２アンテナコイル１０５を有している。ユーザが、第２アンテナコイル１０５が埋設されている右側から、非接触ＩＣカード１２をリーダ・ライタ２０にかざすと、発生した起電力は、第１起電力測定部３１１および第２起電力測定部３１２でそれぞれ測定される（Ｓ３０２）。そして、測定された起電力は、起電力比較部３１３により比較される（Ｓ３０７）。
【００５６】
図８（Ｂ）は、非接触ＩＣカード１２がリーダ・ライタを通過する時間と、それぞれのアンテナコイルが発生する起電力との関係を示した図である。本図では、第１アンテナコイル１０４の起電力の推移を線６０４で示し、第２アンテナコイル１０５の起電力の推移を線６０３で示している。非接触ＩＣカード１２がリーダ・ライタ２０を通過する所定の時刻を例えばｔ０とし、この所定の時刻ｔ０における第１アンテナコイル１０４の起電力をＷＣで表し、第２アンテナコイル１０５の起電力をＷＤで表すと、ＷＤ＞ＷＣとなる。すなわち、はじめにリーダ・ライタ２０に近づく第２アンテナコイル１０５に、第１アンテナコイル１０４よりも大きな起電力が発生することになる。したがって、アプリケーション選択実行部２１５は、第２アンテナコイル１０５に対応したアプリケーションＤを実行すべきアプリケーションとして選択し（Ｓ３０９）、プログラム格納部２１６から選択されたアプリケーションＤを読み出して起動する（Ｓ３０６）。
【００５７】
図８（Ａ）において、ユーザが、非接触ＩＣカード１２の左側、つまり、第１アンテナコイル１０４を有する側から非接触ＩＣカード１２をリーダ・ライタ２０にかざした場合、所定の時刻ｔ０において、ＷＣ＞ＷＤとなる。すなわち、はじめにリーダ・ライタ２０に近づく第１アンテナコイル１０４に、第２アンテナコイル１０５よりも大きな起電力が発生する。そのため、アプリケーション選択実行部２１５は、第１アンテナコイル１０４に対応したアプリケーションＣを選択し（Ｓ３０８）、プログラム格納部２１６から選択されたアプリケーションＣを読み出して起動する（Ｓ３０６）。
【００５８】
ここで、所定の時刻ｔ０は、最初に起電力が発生したアンテナコイル（第２アンテナコイル１０５）において起電力が発生した第１の時刻ｔ１から、所定時間（例えば、１００ｍｓｅｃ）経過したときと定義してもよく、また、次に起電力が発生したアンテナコイル（第１アンテナコイル１０４）において起電力が発生した第２の時刻ｔ２から、所定時間（例えば、１０ｍｓｅｃ）経過したときと定義してもよい。ただし、所定時間とは、最初に起電力が発生したアンテナコイルの起電力がピークに達するまでの時間とする。
【００５９】
第１アンテナコイル１０４と第２アンテナコイル１０５との起電力を比較する基準は、所定の時刻ｔ０に限られるものではない。
【００６０】
例えば、第２アンテナコイル１０５における最初の起電力の発生を検知した後、第１アンテナコイル１０４における次の起電力の発生を検知した時点で、起電力比較部３１３は、先に発生した起電力が第２アンテナコイル１０５で発生したことを示す情報、すなわち、第２アンテナコイル１０５に対応するアプリケーションを実行すべきアプリケーションとして選択すべき旨を、アプリケーション選択実行部２１５に出力するとしてもよい。
【００６１】
図８（Ｃ）に示すように、第１アンテナコイル１０４および第２アンテナコイル１０５のうち、いずれのアンテナコイルが、発生した起電力のピーク値に先に到達したかを基準に比較するとしてもよい。
【００６２】
図８（Ｃ）は、非接触ＩＣカードがリーダ・ライタを通過する時間と、それぞれのアンテナコイルが発生する起電力のピーク値との関係を示した図である。本図では、第１アンテナコイル１０４の起電力の推移を線６０６で示し、第２アンテナコイル１０５の起電力の推移を線６０５で示している。それぞれのアンテナコイルで発生する起電力のピーク値をＷＥで表すと、第２アンテナコイル１０５のピーク値６０５ａの到達時刻ｔ３は、第１アンテナコイル１０４のピーク値６０６ａの到達時刻ｔ４よりも早い。したがって、この場合、起電力比較部３１３は、先に発生した起電力が第２アンテナコイル１０５で発生したことを示す情報、すなわち、第２アンテナコイル１０５に対応するアプリケーションを実行すべきアプリケーションとして選択すべき旨を、アプリケーション選択実行部２１５に出力することになる。
【００６３】
なお、発生した起電力が先に所定値に到達したアンテナコイルに対応するアプリケーションが選択されるとしてもよい。
【００６４】
以上、説明したように、本実施の形態２に係る非接触ＩＣカードによれば、複数のアンテナコイルのそれぞれに発生する起電力の発生時間等、起電力の特性を比較し、その比較結果に基づいてアプリケーションを選択するので、ユーザはリーダ・ライタに非接触ＩＣカードをかざす方向を変更することにより、容易に非接触ＩＣカード内のアプリケーションを切り替えることが可能となる。
【００６５】
（実施の形態３）
続いて、本発明の実施の形態３に係る非接触ＩＣカードについて説明する。
【００６６】
本実施の形態３では、上記実施の形態１と実施の形態２とが複合された場合、つまり、非接触ＩＣカードの片面の左右にアンテナコイルが備えられるとともに、もう一方の片面の左右にもアンテナコイルが備えられる場合を説明する。
【００６７】
なお、本発明の実施の形態３に係る非接触ＩＣカードのハードウェア構成は、図３に示した構成と比して、第３アンテナコイルと、第３アンテナコイルで発生した起電力を測定する第３起電力測定器と、第４アンテナコイルと、第４アンテナコイルで発生した起電力を測定する第４起電力測定器とが追加される点が異なるのみで、その他は共通するので、図示を省略する。本実施の形態に係る非接触ＩＣカードの機能的な構成も図４の構成と同様である。
【００６８】
以下では、図１０および図１１を参照しながら、主に本実施の形態３に係る非接触ＩＣカードの動作について説明する。
【００６９】
図１０（Ａ）は、本実施の形態３に係る非接触ＩＣカード１３における片面側（表面側）の概観を示す平面図であり、本図に示すように、非接触ＩＣカード１３の表面の左側には第１アンテナコイル１０６が、右側には第２アンテナコイル１０７が埋設されている。
【００７０】
図１０（Ｂ）は、非接触ＩＣカード１３における他方の片面側（裏面側）の概観を示す平面図であり、本図に示すように、非接触ＩＣカード１３の裏面の左側には第３アンテナコイル１０８が、右側には第４アンテナコイル１０９が埋設されている。
【００７１】
図１０（Ｃ）は、非接触ＩＣカード１３の操作方法を説明するための図であり、図１１は、電力供給後からアプリケーションが選択されるまでの、非接触ＩＣカード１３の動作手順を示すフローチャートである。なお、図１１において、上記実施の形態１および２の説明で用いた図７および図９のフローチャートと異なる手順を、破線で囲んで強調して示し（Ｓ１００２）、同一の手順には、同一の符号を付している。
【００７２】
図１０（Ｃ）に示すように、ユーザが、第４アンテナコイル１０９が埋設されている裏面の右側から、非接触ＩＣカード１３をリーダ・ライタ２０にかざすと、それぞれのアンテナコイルで発生した起電力は、対応する起電力測定部でそれぞれ測定される（Ｓ３０２）。
【００７３】
図１１に示すように、まず、起電力比較部３１３は、非接触ＩＣカード１３の左側に埋設されている第１アンテナコイル１０６もしくは第３アンテナコイル１０８に発生した起電力と、非接触ＩＣカード１３の右側に埋設されている第２アンテナコイル１０７もしくは第４アンテナコイル１０９に発生した起電力とを比較する（Ｓ３１０）。このとき、非接触ＩＣカード１３における左右の起電力比較は、上記実施の形態２と同様に、起電力の発生時間を比較することにより行ない、図１０（Ｃ）に示した例では、起電力比較部３１３は、非接触ＩＣカード１３の右側に埋設されているアンテナコイルに発生する起電力が大きいと判断することになる。
【００７４】
その後、非接触ＩＣカード１３の表面側に埋設されている第２アンテナコイル１０７に発生した起電力と、裏面側に埋設されている第４アンテナコイル１０９に発生した起電力とが比較される（Ｓ３１２）。このとき、非接触ＩＣカード１３における表裏の起電力比較は、上記実施の形態１と同様に、起電力の大きさを比較することにより行ない、図１０（Ｃ）に示した例では、起電力比較部３１３は、非接触ＩＣカードの裏面に埋設されているアンテナコイルに発生する起電力が大きいと判断することになる。
【００７５】
この結果、起電力比較部３１３は、第４アンテナコイル１０９に発生する起電力が最も大きいと判断することになり、アプリケーション選択実行部２１５は、第４アンテナコイル１０９に対応したアプリケーションＢ１を実行すべきアプリケーションとして選択し（Ｓ３１６）、プログラム格納部２１６から選択されたアプリケーションＢ１を読み出して起動する（Ｓ３０６）。
【００７６】
ユーザが、第３アンテナコイル１０８を有する裏面の左側から、非接触ＩＣカード１３をリーダ・ライタ２０にかざした場合は、第３アンテナコイル１０８に発生する起電力が最も強くなる。アプリケーション選択実行部２１５は、第３アンテナコイル１０８に対応したアプリケーションＢ２を実行すべきアプリケーションとして選択し（Ｓ３１４）、プログラム格納部２１６から選択されたアプリケーションＢ２を読み出して起動する（Ｓ３０６）。
【００７７】
図１０（Ｃ）において、ユーザが、第１アンテナコイル１０６を有する表面の左側から、非接触ＩＣカード１３をリーダ・ライタ２０にかざした場合は、第１アンテナコイル１０６に発生する起電力が最も強くなるため、アプリケーション選択実行部２１５は、第１アンテナコイル１０６に対応したアプリケーションＡ１を実行すべきアプリケーションとして選択し（Ｓ３１３）、プログラム格納部２１６から選択されたアプリケーションＡ１を読み出して起動する（Ｓ３０６）。
【００７８】
ユーザが、第２アンテナコイル１０７を有する表面の右側から、非接触ＩＣカード１３をリーダ・ライタ２０にかざした場合は、第２アンテナコイル１０７に発生する起電力が最も強くなるため、アプリケーション選択実行部２１５は、第２アンテナコイル１０７に対応したアプリケーションＡ２を実行すべきアプリケーションとして選択し（Ｓ３１５）、プログラム格納部２１６から選択されたアプリケーションＡ２を読み出して起動する（Ｓ３０６）。
【００７９】
なお、図１１では、非接触ＩＣカード１３の左右の起電力比較を行なった後に、表裏の起電力比較を行なう例を示したが、順序を逆にして、表裏の起電力比較を行なった後に、左右の起電力比較を行なうとしてもよい。
【００８０】
以上、説明したように、本実施の形態３に係る非接触ＩＣカードによれば、複数のアンテナコイルのそれぞれに発生する起電力の大きさを比較してカードの表裏を判断し、起電力の発生時間等を比較してカードの左右を判断して、実行すべきアプリケーションを選択するので、ユーザはリーダ・ライタに非接触ＩＣカードをかざす方向と、かざす面とを切り替えることにより非接触ＩＣカード内のアプリケーションを切り替えることが可能となる。
【００８１】
（実施の形態４）
さらに、本発明の実施の形態４に係る非接触ＩＣカードについて説明する。
【００８２】
本実施の形態４では、非接触ＩＣカードをリーダ・ライタに近づけた場合に、起動されるアプリケーションが区別出来る全ての可能性を考え、片面（表面）に４つ、もう一方の面（裏面）に４つのアンテナコイルを備えた非接触ＩＣカードを説明する。なお、本実施の形態４に係る非接触ＩＣカードのハードウェア構成は、図３に示した構成と比して、第３〜第８アンテナコイルと、第３〜第８アンテナコイルで発生した起電力をそれぞれ測定する第３〜第８起電力測定器とが追加される点が異なるのみで、基本的な構成は共通するので、図示を省略する。機能的な構成も同様である。
【００８３】
図１２（Ａ）は、本実施の形態４に係る非接触ＩＣカード１４における表面側の概観を示す平面図であり、本図に示すように、非接触ＩＣカード１４の表面の左上側には第１アンテナコイル１１０、左下側には第２アンテナコイル１１１、右上側には第３アンテナコイル１１２、そして、右下側には第４アンテナコイル１１３が、それぞれ埋設されている。
【００８４】
図１２（Ｂ）は、非接触ＩＣカードにおける裏面側の概観を示す平面図であり、本図に示すように、非接触ＩＣカード１４の裏面側の左上側には第５アンテナコイル１１４、左下側には第６アンテナコイル１１５、右上側には第７アンテナコイル１１６、そして、右下側には第８アンテナコイル１１７が、それぞれ埋設されている。
【００８５】
図１２（Ｃ）は、非接触ＩＣカード１４の操作方法を説明するための図である。
図１２（Ｃ）に示すように、ユーザは、リーダ・ライタ２０に対して、非接触ＩＣカード１４の片面のうち、４つの角のいずれかを近づけることで、実行させたいアプリケーションを切り替えることができる。また、もう一方の片面についても同様に、非接触ＩＣカード１４のもう一方の片面のうち、４つの角のいずれかを近づけることで、実行させたいアプリケーションを切り替えることができる。すなわち、ユーザは、１枚の非接触ＩＣカード１４で、合計８つのアプリケーションの切り替えが可能となる。なお、非接触ＩＣカード１４が起動するアプリケーションを決定する手順は、上記実施の形態３における手順と同様であり、起電力比較部３１３において、起電力の大きさを比較することでカードの表裏を判断することができ、起電力の発生時間等を比較することで上下左右を判断することができる。
【００８６】
以上、説明したように、本実施の形態４に係る非接触ＩＣカードによれば、ユーザは、リーダ・ライタに非接触ＩＣカード１４をかざす方向とかざす面とを切り替えることにより、非接触ＩＣカード内のマルチアプリケーションの切り替えを実現することができる。
【００８７】
以上、本発明に係る非接触ＩＣカードについて各実施の形態に基づき説明したが、本発明は、これらの実施の形態に限定されるものではなく、その範囲を逸脱することなく種々の変形または修正が可能である。
【００８８】
例えば、上記各実施の形態では、電力供給（図７におけるＳ３０１）や、起電力測定（図７におけるＳ３０２）、起電力比較（図７におけるＳ３０３）の処理について、別の要素によって処理しているように説明したが、これらの処理をＣＰＵ２１２で行なうとしても良い。
【００８９】
また、図４に示したブロック図の各機能ブロックは典型的には集積回路であるＬＳＩとして実現される。このＬＳＩは１チップ化されても良いし、複数チップ化されても良い。（例えばメモリ以外の機能ブロックが１チップ化されていても良い。）
ここでは、機能ブロックはＬＳＩとしたが、集積度の違いにより、ＩＣ、システムＬＳＩ、スーパーＬＳＩ、ウルトラＬＳＩと呼称されることもある。
【００９０】
集積回路化の手法はＬＳＩに限るものではなく、専用回路又は汎用プロセッサで実現してもよい。ＬＳＩ製造後に、プログラムすることが可能なＦｉｅｌｄ  Ｐｒｏｇｒａｍｍａｂｌｅ  Ｇａｔｅ  Ａｒｒａｙ（ＦＰＧＡ）や、ＬＳＩ内部の回路セルの接続や設定を再構成可能なリコンフィギュラブル・プロセッサを利用しても良い。
【００９１】
さらには、半導体技術の進歩又は派生する別技術によりＬＳＩに置き換わる集積回路化の技術が登場すれば、当然、その技術を用いて機能ブロックの集積化を行なってもよい。バイオ技術の適応が可能性としてありうる。
【００９２】
また、図４に示した各機能ブロックのうち、データを格納するユニットだけ１チップ化せずに別構成としても良い。
【００９３】
さらに、図１３（Ａ）〜図１３（Ｄ）に示すように、提供されるアプリケーションに対応するアンテナコイルが埋設されている部分をそれぞれユーザに認識させるためのシール又は表示加工を非接触ＩＣカードに施しても良い。
【００９４】
図１３（Ａ）に示すように、非接触ＩＣカード１１の表面と裏面とにシール又は表示加工を施す場合、ユーザが非接触ＩＣカード１１をリーダ・ライタ２０に近づける際に、どのアプリケーションが起動されるかを認識しやすいように、アプリケーションに対応するアンテナコイルが埋設されている片面とは逆の面に、それぞれのアプリケーションを示すシールや表示加工を設けても良い。
【００９５】
図１３（Ａ）の場合であれば、アプリケーション「ＳＯＵＣＡ」に対応するアンテナコイルは、非接触ＩＣカード１１の裏面側に近い位置に埋設されており、アプリケーション「ＩＫＵＫＡ」に対応するアンテナコイルは、非接触ＩＣカード１１の表面側に近い位置に埋設されている。つまり、表面側に近い位置に埋設されているアンテナコイルに対応するアプリケーションを示すシールや表示は裏面に施され、裏面側に近い位置に埋設されているアンテナコイルに対応するアプリケーションを示すシールや表示は表面に施されている。
【００９６】
また、図１３（Ｂ）に示すように、非接触ＩＣカード１２の一方の面において、アンテナコイルを配した部分にシール又は表示加工を施し、アンテナコイルに対応づけられたアプリケーションをユーザにわかりやすく表示してもよい。
【００９７】
また、非接触ＩＣカードの同一面に複数のアプリケーションが搭載されている場合には、図１３（Ｄ）に示す非接触ＩＣカード１４の四隅に設けられた矢印のように、ユーザが非接触ＩＣカード１４をリーダ・ライタ２０にどの方向からかざせばよいかを、明示するのが好ましい。
【００９８】
さらに、非接触ＩＣカードをユーザが目視することができない場合に対処するため、図１４に示すように、非接触ＩＣカード１５の端部３０を切り欠くことによって凹部３１を形成しても良い。これによって、ユーザは、非接触ＩＣカード１５の淵を指で挟んで確かめることにより、非接触ＩＣカード１５の表面、裏面、および、その方向を確認することができる。
【００９９】
なお、本明細書では、フラットなカード形状の非接触ＩＣカードについて主に説明したが、本発明は、そのような非接触カードに限定されるものでなく、カードの形状はその他の形状であってもよいし、本発明は他の分野への応用も可能である。
【０１００】
例えば、本発明は、球体の表面に複数のアンテナコイルを配し、それぞれのアンテナコイルに対応させて球体の挙動（例えば、球体の色彩の変化等）をプログラミングしておき、その球体がリーダ・ライタに接触する面に応じて、球体の挙動を変化させる玩具やゲーム機等への応用も可能である。
【０１０１】
また、本明細書における「起電力」は、「電力」、「電圧」、「電流」と読み替えてもよい。アンテナコイルは一定周波数の電磁波に対して一定のインピーダンスをもつので、アンテナコイルに誘起される電力の大きさに応じて誘起される電圧も電流も変化するからである。
【０１０２】
本発明の典型的な実施の形態を上述したが、当業者は、本発明の新規な教示及び効果から逸脱することなく、典型的な実施の形態において多くの変形が可能であることを容易に認識する。したがって、全てのこのような変形は、本発明の範囲内に含まれる。
【産業上の利用可能性】
【０１０３】
本発明に係る非接触ＩＣカードは、複数のアンテナコイルと、それぞれの起電力を測定するための複数の起電力測定部と、測定された起電力の特性を比較するための起電力比較部と、その比較結果に基づいてアプリケーションを選択し起動させるアプリケーション選択実行部とを備える。本発明は、複数のアプリケーションを外部からユーザの操作により切り替えることができる非接触ＩＣカードとして有用であり、特に、交通系用途や公共系用途の非接触ＩＣカードとして好適である。
【図面の簡単な説明】
【０１０４】
これら、並びに、発明の他の目的、効果、および特徴は、発明の特定の実施の形態を説明する添付図面とともに行なう説明から明らかである。
【図１】一般的な非接触ＩＣカード、リーダ・ライタ、および両者を利用する状況を示す概観図である。
【図２】図１に示した一般的な非接触ＩＣカードのハードウェア構成を示す図である。
【図３】本発明の実施の形態１に係る非接触ＩＣカードのハードウェア構成を示す図である。
【図４】実施の形態１に係る非接触ＩＣカードの機能的な構成を示す機能ブロック図である。
【図５】（Ａ）実施の形態１に係る非接触ＩＣカードにおける片面側の概観を示す平面図である。（Ｂ）実施の形態１に係る非接触ＩＣカードにおける他方の片面側の概観を示す平面図である。（Ｃ）実施の形態１に係る非接触ＩＣカードの一部の断面斜視図である。
【図６】（Ａ）実施の形態１に係る非接触ＩＣカードの操作方法を説明するための図である。（Ｂ）非接触ＩＣカードとリーダ・ライタとの距離と、それぞれのアンテナコイルが発生する起電力との関係を示した図である。
【図７】実施の形態１に係る非接触ＩＣカードの動作手順を示すフローチャートである。
【図８】（Ａ）本発明の実施の形態２に係る非接触ＩＣカードの操作方法を説明するための図である。（Ｂ）非接触ＩＣカードがリーダ・ライタを通過する時間と、それぞれのアンテナコイルが発生する起電力との関係を示した図である。（Ｃ）非接触ＩＣカードがリーダ・ライタを通過する時間と、それぞれのアンテナコイルが発生する起電力のピーク値との関係を示した図である。
【図９】実施の形態２に係る非接触ＩＣカードの動作手順を示すフローチャートである。
【図１０】（Ａ）本発明の実施の形態３に係る非接触ＩＣカードにおける片面側の概観を示す平面図である。（Ｂ）実施の形態３に係る非接触ＩＣカードにおける他方の片面側の概観を示す平面図である。（Ｃ）実施の形態３に係る非接触ＩＣカードの操作方法を説明するための図である。
【図１１】実施の形態３に係る非接触ＩＣカードの動作手順を示すフローチャートである。
【図１２】（Ａ）本発明の実施の形態４に係る非接触ＩＣカードにおける片面側の概観を示す平面図である。（Ｂ）実施の形態４に係る非接触ＩＣカードにおける他方の片面側の概観を示す平面図である。（Ｃ）実施の形態４に係る非接触ＩＣカードの操作方法を説明するための図である。
【図１３】（Ａ）から（Ｄ）ＩＣカードに格納されているアプリケーションプログラムの確認のために、非接触ＩＣカードに施されるシール又は表示加工を示した概観図である。
【図１４】カードの方向や面を認識させるために、非接触ＩＣカードに施される切り欠き加工を示した概観図である。
【図１】
2007529057.tif 000003
【図２】
2007529057.tif 000004
【図３】
2007529057.tif 000005
【図４】
2007529057.tif 000006
【図５】
2007529057.tif 000007
【図６】
2007529057.tif 000008
【図７】
2007529057.tif 000009
【図８】
2007529057.tif 000010
【図９】
2007529057.tif 000011
【図１０】
2007529057.tif 000012
【図１１】
2007529057.tif 000013
【図１２】
2007529057.tif 000014
【図１３】
2007529057.tif 000015
【図１４】
2007529057.tif 000016
【国際調査報告】
2007529057.tif 000017
2007529057.tif 000018